(57)【特許請求の範囲】
【請求項１】
表示が施された非接着性の主ラベルが容器本体に装着された容器において、
付加的な表示を施すためにタックラベルが別途装着されており、
前記タックラベルは、
前記主ラベルに貼着される透明な貼着部と、
前記貼着部に連設された表示部と
を備え、
前記タックラベルは、前記主ラベルに施された表示を隠蔽しない状態で、前記主ラベルの一部だけに貼着されていることを特徴とする容器。
【請求項２】
前記タックラベルは、前記貼着部が、前記表示部より小さく、前記容器本体に装着された前記主ラベルに対して前記表示部を保持可能な大きさに設定されている請求項１に記載の容器。
【請求項３】
前記タックラベルは、前記表示部が前記主ラベルの外側に張り出すように、前記貼着部が前記主ラベルに貼着されている請求項１または２に記載の容器。
【請求項４】
前記タックラベルは、前記表示部の裏面が非接着状態であり、
前記表示部が前記容器本体に接触しない状態で、前記主ラベルの外側に張り出している請求項３に記載の容器。
【請求項５】
前記主ラベルがシュリンクラベルまたはストレッチラベルである請求項１、２、３または４に記載の容器。
【発明の詳細な説明】
【０００１】
【発明の属する技術分野】
この発明は、表示が施された非接着性の主ラベルが容器本体に装着された容器、特に、付加的な表示を施すためにタックラベルを別途装着した容器に関する。
【０００２】
【従来の技術】
従来、お茶やジュース等の清涼飲料水の容器としては、内容物である清涼飲料水等を充填するガラスやプラスチック製の容器本体と、この容器本体の胴部に装着される、内容物に関する説明や宣伝広告等を表示した主ラベルとを備えた容器が一般的に使用されており、容器本体に装着される主ラベルとしては、容器本体をリサイクルし易くするために、切断することで容器本体から簡単に外すことができる、熱収縮性を有するシュリンクラベルや弾性伸縮性を有するストレッチラベル等の非接着性（接着剤を使用することなく容器本体に装着される）のラベルが一般的に採用されている。
【０００３】
ところで、上述したような飲料商品では、販売促進のために、飲料商品の購入者が応募することにより、種々の景品が当たるといった景品キャンペーン等が頻繁に行われており、そのようなキャンペーンを行う場合には、応募シールやキャンペーン専用の表示を容器に施すべく、容器本体に装着された通常の主ラベル以外に、応募シールやキャンペーン用のタックラベルを容器に別途装着することが行われている。
【０００４】
しかしながら、上述したような応募シールやキャンペーン用のタックラベル等を、容器本体に直接貼着したのでは、使用済みの容器をリサイクルする際に、容器本体に残った応募シールやキャンペーン用のタックラベルを１枚ずつ剥がすといった非常に手間のかかる作業を行わなければならず、効率的に容器のリサイクルを行うことができないという問題がある。
【０００５】
このため、応募シールやキャンペーン用のタックラベルは、容器本体に直接貼着するのではなく、上述したように、容器本体から容易に分離することのできるシュリンクラベルやストレッチラベル等からなる主ラベルの上に貼着しておくことが望まれており、従来は非接着性の主ラベルを容器本体に装着した後、その主ラベルにこういった応募シールやタックラベルを貼着していた。
【０００６】
【発明が解決しようとする課題】
しかしながら、上述した主ラベルにも、商標、内容物の説明、バーコード等の種々の表示が施されているので、こういった主ラベルに施された種々の表示を隠蔽しないように、上述したキャンペーン用のタックラベル等を貼着しようとすると、タックラベル自体にあまり大きな表示面積を確保することができず、こういったタックラベルを使用しても十分な宣伝効果を発揮することができないといった問題がある。
【０００７】
また、主ラベルに施された種々の表示のうち、バーコード以外の表示については、その一部がタックラベルによって隠蔽されたとしてもそれ程大きな影響はないが、バーコードについては、その一部がタックラベルによって隠蔽されるだけで、店頭におけるバーコードの読み取りが不可能となるため、タックラベルの貼着位置には、十分に注意を払う必要がある。
【０００８】
容器本体の胴部が角型である角ボトルの場合は、通常ラベリング時に容器の位置決めが行われるため、タックラベルがバーコードにかからないように、主ラベルのうち、バーコードの表示が存在しない面にタックラベルを貼着することはある程度容易に行うことができるが、通常ラベリング時に容器の位置決めが行われない丸ボトルの場合は、タックラベルを主ラベルに表示されたバーコードにかからないように貼着することは簡単に行えないといった問題がある。
【０００９】
また、丸ボトルの場合は、主ラベルが装着されている容器本体の胴部表面が、３次曲面となることが多く、こういった丸ボトルに大きなタックラベルをラベリング装置によって自動的に貼着する場合、タックラベル全体を３次曲面である主ラベルの表面に沿うように押さえつけることができず、タックラベルが容器から部分的に浮き上がったり、皺が発生したりして、タックラベルを綺麗にかつ確実に主ラベルの上に貼着することができないといった問題もある。
【００１０】
そこで、この発明の課題は、表示が施された主ラベルに貼着されるタックラベルに、ある程度の表示領域を確保することができると共に、主ラベルに施された表示をタックラベルが隠蔽しにくい容器を提供することにある。
【００１１】
【課題を解決するための手段及びその効果】
上記の課題を解決するため、請求項１にかかる発明は、表示が施された非接着性の主ラベルが容器本体に装着された容器において、付加的な表示を施すためにタックラベルが別途装着されており、前記タックラベルは、前記主ラベルに貼着される透明な貼着部と、前記貼着部に連設された表示部とを備え、前記タックラベルは、前記主ラベルに施された表示を隠蔽しない状態で、前記主ラベルの一部だけに貼着されていることを特徴とする容器を提供するものである。
【００１２】
以上のように構成された容器では、主ラベルに貼着されるタックラベルの貼着部が透明であるため、その貼着部が主ラベルに施されたバーコードに一部かかったとしても、そのバーコードの読み取りが可能である。
【００１３】
また、この容器では、タックラベルが、貼着部に連設された表示部を備えているので、請求項３や請求項４に記載の容器のように、表示部が主ラベルの外側に張り出すように、このタックラベルの貼着部を主ラベルに貼着することにより、表示部の面積をある程度大きくしても、主ラベルに施された表示がタックラベルの表示部によって必要以上に隠蔽されることがなく、また、表示部にある程度の表示面積を確保することができるので、このタックラベルによって、十分な宣伝効果を発揮させることができる。
【００１４】
また、請求項２に記載の容器のように、前記タックラベルの前記貼着部を、前記表示部より小さく、前記容器本体に装着された前記主ラベルに対して前記表示部を保持可能な大きさに設定したものにあっては、容器本体が丸ボトルのように、主ラベルが装着されている胴部表面が３次曲面となるような場合であっても、その上に貼着されたタックラベルに浮き上がり部分や皺が生じにくく、ラベリング装置によるタックラベルの自動装着を確実に行うことができる。
【００１５】
【発明の実施の形態】
以下、実施の形態について図面を参照して説明する。図１ないし図３に示すように、このタックラベル１０は、飲料商品の販売促進のために行われるキャンペーン用の表示を施したものであり、ポリエチレンテレフタレート製の丸ボトルからなる容器本体Ｂの胴部に主ラベルとして装着された、内容物に関する説明（図示せず）やバーコードｃ等の表示が施された筒状のシュリンクラベルＬの上に貼着される。
【００１６】
前記タックラベル１０は、図１及び図２に示すように、容器本体Ｂの胴部に装着されたシュリンクラベルＬに貼着される貼着部１０ａと、この貼着部１０ａに連設された表示部１０ｂとから構成されており、貼着部１０ａは、表示部１０ｂをシュリンクラベルＬに対して所定の状態に保持することができる程度に、その大きさを表示部１０ｂに比べて十分小さく設定してある。
【００１７】
前記タックラベル１０は、貼着部１０ａ及び表示部１０ｂを構成するポリプロピレンフィルムからなる透明なラベル基材１１と、このラベル基材１１の裏面側の全面に積層された透明な粘着層１２と、ラベル基材１１の表面側に、表示部１０ｂの全領域を覆うように積層された、キャンペーン用の表示が施された表示印刷層１３と、粘着層１２の露出面のうち、表示部１０ｂの全領域を覆うように、積層されたマスク印刷層１４とから構成されており、前記ラベル基材１１及び粘着層１２から構成される貼着部１０ａは透明であると共に、マスク印刷層１４に覆われた表示部１０ｂは非接着の状態となっている。
【００１８】
前記ラベル基材１１は、上述したポリプロピレンフィルム以外に、ポリエステルフィルム等の種々の合成樹脂フィルム、合成紙または金属箔等によって形成することができ、前記表示印刷層１３及びマスク印刷層１４は、凸版輪転印刷またはスクリーン印刷、グラビア印刷等によって形成することができる。
【００１９】
以上のように構成されたタックラベル１０は、図１に示すように、表示部１０ｂが容器本体Ｂに装着されたシュリンクラベルＬの上端縁から上方に張り出すように、貼着部１０ａをシュリンクラベルＬの上端部に貼着すると、表示部１０ｂが容器本体Ｂの胴部外周面から上方に起立して小径の首部分から離間した状態となって目立ちやすくなるので、キャンペーン用のタックラベル１０による十分な宣伝広告効果が発揮されると共に、表示部１０ｂによってシュリンクラベルＬに表示された商標や内容物の説明等がほとんど隠蔽されることがない。
【００２０】
また、このタックラベル１０は、上述したように、貼着部１０ａが透明になっているので、貼着部１０ａがシュリンクラベルＬの表示部分に一部かかったとしても、その表示が部分的に隠蔽されることがなく、シュリンクラベルＬによる表示効果が阻害されることもない。
【００２１】
また、容器本体Ｂがこのような丸ボトルの場合は、通常、ラベリング装置において、ボトルを周方向に位置決めした状態でラベリングを行うことはないので、、タックラベル１０の貼着部１０ａが、図１に示すように、シュリンクラベルＬに表示されたバーコードｃの上端部に一部かかる場合もあるが、貼着部１０ａが透明であるので、タックラベル１０によってバーコードｃが部分的に隠蔽されることもなく、装着されたタックラベル１０が店頭におけるバーコードｃの読み取りの支障となることもない。
【００２２】
また、貼着部１０ａは、上述したように、表示部１０ｂに比べてその大きさが十分小さく設定されているので、図１に示すように、タックラベル１０の貼着部１０ａを貼着しようとするシュリンクラベルＬの表面が、丸ボトルである容器本体Ｂの胴部外周面に沿って３次曲面となるような場合でも、ラベリング装置によって貼着部１０ａを確実にシュリンクラベルＬの表面に押さえ付けることができるので、貼着部１０ａがシュリンクラベルＬの表面から部分的に浮き上がった貼着不良の状態となったり、貼着部１０ａや表示部１０ｂに皺が発生したりすることがなく、綺麗で見栄えの良い状態にタックラベル１０を自動装着することができる。
【００２３】
なお、容器本体Ｂが上述した丸ボトルの場合は、貼着部１０ａの大きさを小さくすればする程、タックラベル１０がラベリング装置による自動装着に適した形態となるが、貼着部１０ａの大きさを極端に小さくすると、貼着されたタックラベル１０が容易に剥がれたり、表示部１０ｂを起立させた状態に保持することができなくなるので、貼着部１０ａについてもある程度の大きさが必要であることはいうまでもない。
【００２４】
また、この実施形態では、上述したように、表示部１０ｂ全体が非接着の状態となっているが、図４及び図５に示すように、マスク印刷層１４の形成領域を表示部１０ｂよりも小さくすることによって、表示部１０ｂの貼着部１０ａ側に一部粘着層１２が露出した接着可能領域αを形成し、透明な貼着部１０ａから表示部１０ｂの接着可能領域αまでを、主ラベルであるシュリンクラベルＬに貼着するようにしてもよい。
【００２５】
また、この実施形態では、上述したように、貼着部１０ａ及び表示部１０ｂの全領域に粘着層１２を形成し、この粘着層１２の表示部１０ｂの全領域をマスク印刷層１４によって覆うことにより、表示部１０ｂを非接着の状態としているが、例えば、貼着部の全領域にだけ粘着層を形成することで、マスク印刷層を省略することも可能である。
【００２６】
上述した実施形態では、容器本体Ｂが丸ボトルである場合について説明したが、図６に示すように、容器本体Ｂが角ボトルの場合は、装着されたシュリンクラベルＬの表面がフラット面になるので、タックラベル２０の貼着部２０ａの大きさが上述したタックラベル１０の貼着部１０ａに比べてある程度大きくても、ラベリング装置によって見栄えの良い状態にタックラベル２０を自動装着することができる。なお、容器本体Ｂが角ボトルの場合に、上述したタックラベル１０を装着してもよいことはいうまでもない。
【００２７】
また、容器本体Ｂが角ボトルの場合は、ラベリング装置によってラベルの自動装着を行う際に、容器本体Ｂがその胴部周方向に位置決めされるのが一般的なので、シュリンクラベルＬに表示されたバーコード部分等の重要な表示部分を避けるように、タックラベル１０、２０を選択的に装着することが可能となる。従って、シュリンクラベルＬのバーコード以外の重要でない表示部分がタックラベル１０、２０の表示部１０ｂ、２０ｂによって隠蔽されても特に問題とならないような場合は、あえて表示部１０ｂ、２０ｂがシュリンクラベルＬの外側に張り出すように、タックラベル１０、２０を装着する必要はないが、タックラベル１０、２０による宣伝広告効果を考慮すると、表示部１０ｂ、２０ｂがシュリンクラベルＬの外側に張り出すように、タックラベル１０、２０を装着することが望ましい。
【００２８】
以上のように、このタックラベル１０、２０は、容器のリサイクルを容易に行うことができるように、容器本体Ｂに装着された非接着性のシュリンクラベルＬに貼着部１０ａ、２０ａを貼着しているにも拘わらず、シュリンクラベルＬの表示部分を隠蔽することなく、十分な宣伝広告効果を発揮する大きな表示部１０ｂ、２０ｂを確保することができるので、キャンペーン用の付加的な表示を施すために別途装着されるラベルとして最良の形態であるといえる。
【００２９】
なお、上述した実施形態では、単にキャンペーン用の表示を行うためのタックラベルについて説明したが、例えば、表示部１０ｂ部分や表示部１０ｂと貼着部１０ａとの境界部分にミシン目を形成し、このミシン目によって表示部１０ｂの一部または全部を切り離してこれを景品キャンペーンの応募券として使用させたり、上述したマスク印刷層１４に代えて離型紙によって粘着層１２を覆い、表示部１０ｂ部分のラベル基材１１及び粘着層１２に切目を形成することによって、表示部１０ａの一部または全部を切り離して応募シールとして使用させるようにすることも可能である。
【００３０】
また、この実施形態では、容器本体Ｂに装着される主ラベルとしてシュリンクラベルＬを採用した場合について説明したが、主ラベルはシュリンクラベルに限定されるものではなく、ストレッチラベル等の種々の非接着性ラベルを使用することができる。
【００３１】
また、上述した実施形態では、主ラベルであるシュリンクラベルＬの上端部にタックラベル１０、２０の貼着部１０ａ、２０ａを貼着するようにしているが、これに限定されるものではなく、例えば、容器本体Ｂが角ボトルの場合は、表示部１０ｂ、２０ｂが容器本体Ｂの胴部側方に張り出すように、シュリンクラベルＬの正面部分の側縁部に貼着部１０ａ、１０ｂを貼着する等、種々の装着態様を採用することができる。
【図面の簡単な説明】
【図１】この発明にかかる容器の一実施形態を示す斜視図である。
【図２】同上の容器に装着されているタックラベルを示す平面図である。
【図３】図２のＸ−Ｘ線に沿った断面図である。
【図４】同上のタックラベルの変形例を示す平面図である。
【図５】図４のＹ−Ｙ線に沿った断面図である。
【図６】この発明にかかる容器の他の実施形態を示す斜視図である。
【符号の説明】
１０、２０  タックラベル
１０ａ、２０ａ  貼着部
１０ｂ、２０ｂ  表示部
Ｂ  容器本体
Ｌ  シュリンクラベル
ｃ  バーコード
【図１】
0003911347.tif 000002
【図２】
0003911347.tif 000003
【図３】
0003911347.tif 000004
【図４】
0003911347.tif 000005
【図５】
0003911347.tif 000006
【図６】
0003911347.tif 000007